(57)【要約】【課題】遊技具の制御部品が取り替えられたことそのものを確実かつ直接的に検知でき、しかも、どの制御部品が取り替えられたかを判別することができる遊技具の不正防止方法を提供すること。【解決手段】データ記憶メモリとアンテナを備えたシール状のタグを使用した遊技具の不正防止方法である。タグとしては、一旦貼り付けた後に剥がすと破壊されるようなものを使用する。そして、このタグを遊技具の制御部品とその取付部とにまたがるように貼り付け、そのタグのデータ記憶メモリ中のデータを、前記アンテナを介してタグリーダーによって定期的に読み出すようにする。【選択図】    図３
2005021396.tif 000002
【特許請求の範囲】
【請求項１】
データ記憶メモリとアンテナを備えたシール状のタグを使用した遊技具の不正防止方法であって、
前記タグは、一旦貼り付けた後に剥がすと破壊されるようになっており、
このタグを遊技具の制御部品とその取付部とにまたがるように貼り付け、そのタグのデータ記憶メモリ中のデータを、前記アンテナを介してタグリーダーによって定期的に読み出すようにしたことを特徴とする遊技具の不正防止方法。
【請求項２】
タグのデータ記憶メモリは、その少なくとも一部が書き換え不可能、且つ、複製不可能なものである請求項１に記載の遊技具の不正防止方法。
【発明の詳細な説明】
【０００１】
【発明の属する技術分野】
本発明は、パチンコ台やスロットマシンなどの遊技具において、その制御部品を不正改造したものに取り替えることによる不正行為を防止する方法に関する。
【０００２】
【従来の技術】
近年、パチンコ台等の遊戯具では、その進化に応じて不正行為も巧妙且つハイテク化しており、例えば、パチンコ台に取り付けられている制御用ＲＯＭを予め出玉が多くなるようにプログラムされた改造ＲＯＭと取り替えることにより不正に玉を獲得するという手口の不正行為が行われている。同様の不正行為は、パチンコ台の制御データの中継器や中継器間を接続する配線ケーブル（ハーネス）等を、不正電波を発するように改造したものに取り替えることによっても行われている。
【０００３】
このような不正行為はプロの集団によって大規模に行われることが多いため、標的とされたパチンコ店が被る損害は甚大なものであり、従来より、その不正防止手段が提案されている。
【０００４】
その一つとして、特許文献１には、制御用ＲＯＭに遊技状況を判定するプログラムを持たせ、パチンコ台の各種センサからの信号に基づいて遊技状況を監視し、プログラム上で不正行為の有無を判定するというソフト面からの不正防止手段が開示されている。しかし、このような制御用ＲＯＭ内のプログラムによるソフト面からの不正防止手段では、制御用ＲＯＭの取り替えによる不正行為には、全く対応できない。
【０００５】
これに対して、特許文献２には、パチンコ台に光センサーを設け、この光センサーによってパチンコ台の扉が開けられたことを検知するようにした不正防止手段が開示されている。
【０００６】
しかし、この特許文献２に開示されている不正防止手段では、扉の開放を検知することにより、制御用ＲＯＭ等の制御部品が取り替えられた可能性があることを推測できるにとどまり、本当に制御部品が取り替えられかどうか、また、取り替えられているとしたら、どの制御部品が取り替えられたかを検知することはできない。したがって、扉の開放を検知したとしても、それに対して具体的な対策を講じることは困難である。さらに、光センサーの配置や性能などが知られてしまうと、その光センサーで検知されないように扉を開けるといった対抗手段が出現し、改良を余儀なくされることになる。そして、改良するとさらにその対抗手段が出現するという状況が繰り返され、不正行為を無くすことができないのが現状である。
【０００７】
【特許文献１】
特開２００１−１４９５６６号公報
【０００８】
【特許文献２】
特開平１０−２２５５６４号公報
【０００９】
【発明が解決しようとする課題】
本発明が解決しようとする課題は、遊技具の制御部品が取り替えられたことそのものを確実かつ直接的に検知でき、しかも、どの制御部品が取り替えられたかを判別することができる遊技具の不正防止方法を提供することにある。
【００１０】
【課題を解決するための手段】
本発明の遊技具の不正防止方法は、データ記憶メモリとアンテナを備えたシール状のタグを使用したものである。タグとしては、一旦貼り付けた後に剥がすと破壊されるようなものを使用する。そして、このタグを遊技具の制御部品とその取付部とにまたがるように貼り付け、そのタグのデータ記憶メモリ中のデータを、前記アンテナを介してタグリーダーによって定期的に読み出すようにする。
【００１１】
このようにすることよって、遊技具の制御部品を不正改造した制御部品に取り替えようとして制御部品を取付部から取り外すと、タグも剥がされて破壊される。この破壊されたタグからは、タグリーダーを近付けてもデータ記憶メモリ中のデータを読み取ることができないので、制御部品の取り替えが行われたことが検知できる。
【００１２】
そして、各タグのデータ記憶メモリ中にそのタグ固有の識別データを入力しておけば、すべてのタグのデータをタグリーダーで読み取った後に、タグ固有の識別データが入力されたデータベースと照合することによって、破壊されたタグとそのタグが貼り付けられていた制御部品を容易に判別することができる。
【００１３】
さらに、タグのデータ記憶メモリについては、その少なくとも一部が書き換え不可能、且つ、複製不可能なものとすることが好ましい。このようにすることで、制御部品の貼り付けられていたタグと同一のデータを有するタグの製造が実質的にはできなくなるので、制御部品を取り替えた後に複製偽造したタグを貼り付けるといった偽装行為ができなくなる。また、タグの製造時に予め書き込む識別データを、その都度変更するようにすれば、二重にセキュリティーをかけることができる。
【００１４】
また、本発明において使用するタグは、遊技具の制御部品に悪影響を及ぼさないように、それ自体は自発的には電波を発信しないようなものが好ましい。
【００１５】
【発明の実施の形態】
以下、添付図に基づき本発明の実施の形態を説明する。
【００１６】
図１は、本発明の遊技具の不正防止方法において使用するタグの実施例を示す概略平面図である。同図に示すタグ１０はシール状のＲＦ−ＩＤタグであり、データ記憶メモリ１１とアンテナ１２とを備え、データ記憶メモリ１１内のデータをアンテナ１２を介してタグリーダー（図示せず）によって読み出し可能となっている。
【００１７】
データ記憶メモリ１１はＩＣチップから構成されており、その一部のメモリ領域は、製造時にデータを書き込んだ後はそのデータを書き換え不可能で、かつ複製も不可能となっている。また、その書き換え不可能で複製不可能なメモリ領域には、そのタグ１０固有の識別データが書き込まれている。
【００１８】
アンテナ１２は、閉ループ状の複数のアンテナ線１２ａを年輪状に配置し、各アンテナ線１２ａをアンテナ接続線１２ｂにて連結することによって機能するようになっている。このアンテナ接続線１２ｂは非常に細いため、タグ１０を一旦貼り付けた後に剥がすと断線し、タグリーダによってはデータ記憶メモリ１１中のデータが読み出せないようになる。
【００１９】
以上の構成を有するタグ１０は、図２に示すように、パチンコ台等の遊戯具にける制御用ＲＯＭ等の制御部品２０とその取付部３０とにまたがるように貼り付けられる。
【００２０】
図３は、タグ１０を使用した本発明の遊戯具の不正防止方法のプロセスを示すフロー図である。
【００２１】
本発明においては、図２に示すように制御部品２０とその取付部３０とにまたがるように貼り付けられている各タグ１０にタグリーダーを近付け、各タグ１０のデータ記憶メモリ１１内のデータをアンテナ１２を介して読み出す操作を行う。その読み出されたデータは、パーソナルコンピュータ（ＰＣ）に有線又は無線で送信し、ＰＣ内のデータベースに入力される。
【００２２】
このデータベースには、予め制御部品２０の識別データとそこに貼り付けられれいるタグ１０の識別データとが紐付けされて入力されており、この紐付けされた識別データとタグリーダーによって読み出されたタグ１０の識別データとをＰＣ内のＣＰＵの処理によって照合する。
【００２３】
すなわち、ある制御部品２０が取り替えられていた場合には、その制御部品２０に貼り付けられていたタグ１０が剥がされて破壊されているので、そのタグ１０に関する識別データを読み出すことができず、ＰＣ内のデータデーズとの照合の結果、前記タグ１０の破壊が検知される。これによって、前記タグ１０と紐付けられていた制御部品２０の取り替えが行われたことが検知される。
【００２４】
また、偽装のために、剥がしたタグ１０等を使用して別途にタグを作製し制御部品２０の取り替え後に貼り付けようとしても、上述のとおり、タグ１０の識別データを記憶しているデータ記憶メモリ１１のメモリ領域は、書き換え及び複製が不可能であるので、剥がしたタグ１０と同一の識別データを有するタグの作製は実質的には不可能である。また、タグ１０に書き込む識別データをその都度変更するようにすれば、その識別データを部外者に探知されることも防止され、二重にセキュリティーをかけることができる。
【００２５】
【発明の効果】
本発明によれば、遊技具の制御部品が取り替えられたことそのものを確実かつ直接的に検知でき、しかも、どの制御部品が取り替えられたかを判別することができる。そして、その制御部品の取り替えが行われたことは、遊技具メーカーに依頼することなく遊技具店側で検知でき、また、どの制御部品が取り替えられたかもすぐに分かるので、その対応を迅速に行うことができる。
【図面の簡単な説明】
【図１】本発明の遊技具の不正防止方法において使用するタグの実施例を示す概略平面図である。
【図２】本発明におけるタグの使用形態を示す概略平面図である。
【図３】タグを使用した本発明の遊戯具の不正防止方法のプロセスを示すフロー図である。
【符号の説明】
１０  タグ
１１  データ記憶メモリ
１２  アンテナ
１２ａ  アンテナ線
１２ｂ  アンテナ接続線
２０  制御部品
３０  制御部品の取付部
【図１】
2005021396.tif 000003
【図２】
2005021396.tif 000004
【図３】
2005021396.tif 000005